(57)【要約】【課題】  手動式やゼンマイ式によりシート本体を巻き取る必要も無く、またボディーに傷を付けず、片手で簡単に折り畳めコンパクトに収納可能な車体カバーを得る。【解決手段】  車体の上面を覆う長方形状若しくは車体の形状に合わせたシート部材１と、このシート部材１の長手方向の展開の基点位置に設けられシート部材１を車体に固定する基点仮止め手段２と、シート部材１の短手方向の両端に設けられ長手方向に複数回に分けて折り畳み込みできる基点面ファスナ３と第１の仮止め面ファスナ４と第２の仮止め面ファスナ５とから成る畳み込み仮止め手段とを備える。【選択図】  図１
2004359211.tif 000002
【特許請求の範囲】
【請求項１】
車体の上面を覆う長方形状若しくは上記車体の形状に合わせたシート部材と、このシート部材の長手方向の展開基点位置に設けられ、上記シート部材を上記車体に固定する基点仮止め手段と、上記シート部材の短手方向の両端に設けられ、上記長手方向に複数回に分けて折り畳み込みできる畳み込み仮止め手段とを備えたことを特徴とする車体カバー。
【請求項２】
上記畳み込み仮止め手段は、上記シート部材のほぼ中央部の短手方向の両側縁に固着された一対の基点面ファスナと、上記シート部材の四隅に設けられた第１の仮止め面ファスナと、上記基点面ファスナと上記第１の仮止め面ファスナとの間に固着された第２の仮止め面ファスナ、若しくは複数の仮止め面ファスナとを備えたことを特徴とする請求項１または２記載の車体カバー。
【請求項３】
車体の上面を覆う長方形状若しくは上記車体の形状に合わせたシート部材と、このシート部材の長手方向の展開基点位置に設けられ、上記シート部材を上記車体に固定する基点仮止め手段と、この基点仮止め手段の両側に設けられた複数の固定仮止め手段と、上記シート部材の短手方向の両端に設けられ、上記長手方向に複数回に分けて折り畳み込みできる畳み込み仮止め手段とを備えたことを特徴とする車体カバー。
【請求項４】
上記シート部材の四方側面近傍に設けられたシート緊縛紐と、このシート緊縛紐に移動可能に取付けられた複数の吸盤とを設けたことを特徴とする請求項１〜３の何れか一項に記載の車体カバー。
【発明の詳細な説明】
【技術分野】
【０００１】  この発明は、自動車の車体上面を覆う折り畳み式の車体カバーに関するものである。
【背景技術】
【０００２】  従来の車体カバーは、一般的には自動車の車体全体をすっぽりと覆ってしまうものや、車体カバーを前後何れかのバンパーや車体下部に取付け、車体カバーの一端部を手動式、ゼンマイ式又は巻棒等を用いロール式に巻き取る機能を有したものであった。（例えば、特許文献１、特許文献２参照）
【特許文献１】  実全昭６３−１２２１２４号公報（第３−４頁、第２図）
【特許文献２】  実公平３−２０１８２号公報（第２−３頁、第１−６図）
【発明の開示】
【発明が解決しようとする課題】
【０００３】  上記のような従来の自動車の車体全体をすっぽり覆ってしまう車体カバーは、自動車の表面形状に対応する為、車体カバーの形状が車種により複雑で種々の自動車共通タイプに用いる事が出来ず生産コストが高くなると言う問題点があった。
また、車体カバーを車体へ着脱の際、折り畳んだり収納するのが非常に面倒で手間が掛かり、さらに雨や雪、露、霜によって濡れた場合には、自らの衣服が汚れたり、シートの含水によって非常に重くなるため、片手で着脱するのが難しくなり、体力の弱い人等は特に着脱が一層困難になると言う問題点があった。【０００４】  また、車体カバーを車体へ取付ける際、カバーの前後の向きが解かり難く、作業しながらあちらこちらと前後左右へ動かし取付けなければならないため、動かす度に、車体上面に傷を付けると言う問題があった。
更に車体カバーが滑り落ち易いと言う問題点があった。【０００５】  また車内の荷物を出し入れする際、車体カバーが自動車全体をすっぽり覆っている為、すぐに車のドアを開ける事が出来ず、一度取付けた車体カバーをおおむね外さなければドアを開ける事が出来なく、非常に不便であった。【０００６】  また実公昭６３−１２２１２４号公報に示された車体カバーは、ゼンマイ式の巻き取り機能を有しており、背の高いハイルーフ車などに取付ける際、身長の低い人は車体カバーを前もしくは後ろ側から引っ張る際、車体に身体が隣接した状態になる為ため、衣服は汚れ、動き難いと言う問題点があった。
また、体力が弱い人等が取付ける際、巻取るゼンマイの力に逆らいシートを引き出す力と、引き出し途中、車体カバーがたわみ車体上面での摩擦も加わり一層引き出す事が困難となり、また、車体上面に傷が付き易いと言う問題点があった。【０００７】  更に、車体カバーを収納する際も、車体カバーを車体の一番高い屋根（ルーフ）以上に片手で持ち上げることが困難で、シート自体も長くたわむ為、車体上面を滑らしながら巻き取る事となり、巻き取る際にも車体に傷が付くと言う問題点があった。【０００８】  また、実公平３−２０１８２号公報に示された車体カバーは、巻棒を介して手動式で車体カバーを巻き取る際、車体上面を車体カバーがスライドしながら巻き取られる為、車体上面に傷が付き易く、巻き取る最中に強い風が吹いた場合に、車体カバーが風に煽られて車体上面より地面に落下し易いと言う問題点があった。【０００９】  また、実公昭６３−１２２１２４号公報や実公平３−２０１８号公報等に示されたロール式巻き取り機能を有した車体カバーは、車体幅以上の幅方向の長さが必要となるため、車体輻より短いトランクルー厶内に車体カバーを収納する事が出来ず、車体の前後のバンパーか、車体前後の下部のシャーシー等に固定しておかなければならず、外観上好ましくなく、気軽にコンパクトに車内やトランク内に収納する事が出来ないと言う問題点があった。【００１０】  更に、車体カバーを車体に取付け固定する際、車体カバーを車体の前後に固定する事は可能であるが、車体カバーの両サイドは固定する事ができず、風が吹くと車体カバーが煽られ、車体から滑り落ちると言う問題点があった。【００１１】  この発明は、上述のような問題点を解決する為になされたもので、手動式やゼンマイ式により車体カバーを巻き取る必要もなく、車体に傷を付けることなく片手で簡単に折り畳め、コンパクトにトランクルーム内等に収納可能な車体カバーを得ることを目的とする。
【課題を解決するための手段】
【００１２】  この発明に係る車体カバーにおいては、車体の形状に合わせたシート部材と、このシート部材の長手方向の展開基点位置に設けられ、上記シート部材を上記車体に固定する基点仮止め手段と、上記シート部材の短手方向の両端に設けられ、上記長手方向に複数回に分けて折り畳み込みできる畳み込み仮止め手段とを備えたものである。【００１３】  また、畳み込み仮止め手段は、シート部材のほぼ中央部の短手方向の両側縁に固着された一対の基点面ファスナと、シート部材の四隅に設けられた第１の仮止め面ファスナと、基点面ファスナと第１の仮止め面ファスナとの間に固着された第２の仮止め面ファスナ、若しくは複数の仮止め面ファスナとを備えたものである。【００１４】  また、車体の上面を覆う長方形状若しくは上記車体の形状に合わせたシート部材と、このシート部材の長手方向の展開基点位置に設けられ、上記シート部材を上記車体に固定する基点仮止め手段と、この基点仮止め手段の両側に設けられた複数の固定仮止め手段と、上記シート部材の短手方向の両端に設けられ、上記長手方向に複数回に分けて折り畳み込みできる畳み込み仮止め手段とを備えたものである。【００１５】  また、上記シート部材の四方側面近傍に設けられたシート緊縛紐と、このシート緊縛紐に移動可能に取付けられた複数の吸盤とを備えたものである。
【発明の効果】
【００１６】  この発明の車体カバーは、車体の上面を覆う長方形状若しくは上記車体の形状に合わせたシート部材と、このシート部材の長手方向展開の基点位置に設けられ、上記シート部材を上記車体に固定する基点仮止め手段と、上記シート部材の短手方向の両端に設けられ、上記シートを長手方向に複数回に分けて折り畳み込みできる畳み込み仮止め手段とを備えるように構成したので、手動式やゼンマイ式の車体カバーの様にシート部材を巻き取る必要がなくなると共に、車体に傷を付けることが無くなる。【００１７】  また、車体カバーの長手方向の折り畳み込みを二段階以上に分けて、各々の段階ごとに畳み込み仮止め手段を設けたので、車体カバーを片手で簡単に折り畳むことが出来ると共に、コンパクトに折り畳むことが出来る為、トランクルーム内等への収納が容易になる。【００１８】  この発明の車体カバーは、車体の上面を覆う長方形若しくは上記車体の形状に合わせたシート部材と、シート部材の基点仮止め手段の両側に設けられた複数の固定仮止め手段を設け、また，上記シート部材を上記車体に固定する仮止め手段を設けたので、着脱の際、風に煽られ、車体カバーが滑り落ちたりする事が無くなる。【００１９】  また，車体の上面を覆う長方形若しくは上記車体の形状に合わせたシート部材と、このシート部材の四方側縁近傍に設けられたシート緊縛紐と、このシート緊縛紐に移動可能な複数の吸盤を設けたので、自動車の適当な個所に車体カバーを確実に固定することができる。この為、車体カバーの取付け位置により、吸盤の吸着個所に妨げがある際、吸盤を移動し車体カバーを固定させる事ができるので便利である。また、種々の自動車共通タイプとして用いる事が出来るのである。
【発明を実施するための最良の形態】
【００２０】実施の形態１．
図１は、本発明の実施の形態を示す車体カバーの平面図である。図２は、本発明の車体カバーを折り畳んだ状態を示す斜視図である。図３は、車体カバーを車体の上面に置いた状態を示す斜視図である。図４は、車体カバーを車体の上面に拡げた状態を示す斜視図である。図５は、図４の車体カバーを拡げて行く状態を示す斜視図である。図６は、車体カバーを拡げて行く斜視図である。図７は、車体カバーを拡げて行く状態を示す斜視図である。図８は、車体カバーを車上面全体に拡げた状態を示す斜視図である。【００２１】  図において、１００は例えば自動車等の車体の上面を覆う車体カバーである。５０は車体である。５１はサイドミラーである。１はシート部材であり、例えば防水性や耐候性を有するアルミ箔を用いたシート又は合成樹脂製の布材で長方形状に若しくは車体の形状に合わせた形状に形成されている。２はシート部材１を車体に固定する基点仮止め手段としての永久磁石であり、例えば弾力性を有するゴム係磁石等で形成され、シート部材１の長手方向の展開基点位置となる中央付近の短手方向に複数固着されている。【００２２】  ３は基点面ファスナであり、シート部材１の長手方向のほぼ中央部で、短手方向の両側面に固着されている。そうしてその使用範囲は、第１の係合部３Ａと第２の係合部３Ｂに分かれている。４は第１の仮止め面ファスナであり、シート部材１の四隅に複数固着されている。５は第２の仮止め面ファスナであり、車体カバー１００を折り畳む際に、基点面ファスナ３の第２の係合部３Ｂと係合する為、シート部材１の長手方向両側面に複数設けられている。【００２３】  すなわち、基点面ファスナ３と、第１の仮止め面ファスナ４と、第２の仮止め面ファスナ５とにより畳み込み仮止め手段が構成されている。なお、基点面ファスナ３と第１の仮止め面ファスナ４との間に、第２の仮止め面ファスナ５と同様の仮止め面ファスナを第３の仮止め面ファスナ（図示せず）、第４の仮止め面ファスナ（図示せず）・・・・と複数個設けても良い。【００２４】  ６は伸縮自在紐であり、シート部材１の四方側面に複数固着されている。７は伸縮自在紐６に連結された係止フックであり、車体カバー１００を車体に係止する為に設けられている。８はサイドミラー係止紐であり、例えば伸縮自在な紐で形成され、シート部材１の短手方向両側面に固着されている。９は紐通し穴であり、伸縮自在紐６を車種に合わせて位置の変更可能とする為、シート部材１の四方側面に複数設けられている。１０は伸縮自在緊縛紐であり、車体カバー１００を折り畳み緊縛する為シート部材１の長手方向の中央付近側面に固着されている。【００２５】  次、に上述のように構成された車体カバー１００を自動車等の車体に着脱する方法を説明する。
先ず、図３に示す様に、折り畳まれた車体カバー１００を車体５０のルーフの上に置き、伸縮自在緊縛紐１０を外し車体カバー１００を矢印Ａ方向へ開く。この時、基点仮止め手段２としての永久磁石が鉄板製の車体５０に吸着し、車体カバー１００が車体５０に固定される。【００２６】  次に、図４及び図５に示す様に、基点面ファスナ３Ａと第２の仮止め面ファスナ５との係合を外し、車体カバー１００を矢印Ｂ方向へ拡げて行く。
次に、図６及び図７に示す様に、基点面ファスナ３Ｂと第１の仮止め面ファスナ４との係合を外し、矢印Ｃ方向へ車体カバー１を拡げて行き、図８に示す様に、自動車の車体上部全体に拡げる。【００２７】  次に、図８に示す様に、サイドミラー係止紐８をサイドミラー６１に係止し、更に複数の伸縮自在紐６に連結された係止フック７を車体５０に係止し、車体カバー１００の取付けを完了する。
次に、車体カバー１００を車体５０から取り外し、収納する方法を説明する。
先ず、図８に示す様に、伸縮自在紐６に連結された係止フック７を車体５０から外す。【００２８】  次に、図６及び図７に示す様に、シート部材１を矢印Ｅ方向に折り返し、第１の仮止め面ファスナ４と基点面ファスナ３Ａとを係合させる。
次に、図５に示す様に、シート部材１を矢印Ｆ方向に折り畳み丸め、第２の仮止め面ファスナ５と基点面ファスナ３Ｂとを係合させる。
次に、図４の様に折り畳められた車体カバー１００を車体より取り外し、図２に示す様に、矢印Ｇ方向に折り畳み伸縮自在緊縛紐で車体カバーを縛り収納状態にする。【００２９】  この発明の車体カバー１００は、上述の様に構成されているので、トランクや車内などへコンパクトに収納できる利点を有し、更に車体カバー１００を着脱の際、車体５０の上面を引きずる事がない作業工程の為、大切な車体５０に傷を付ける事が無くなる。更に、車体５０への着脱が容易で、片手でも容易に着脱が出来る画期的な車体カバー１００である。また、コンパクトに折り畳むことが出来る為、トランク等への収納が容易になる。【００３０】  また、自動車上部のみを覆い全体を覆わない為、ドアの開閉が容易になり、車内への荷物等の出し入れが自由に出来る。また、車体カバー１００の単純構造と伸縮自在紐４の長さを車種に合わせ自在に調節ができ、更に位置も車種に合わせて自在に変える事が出来る様に紐通し穴を複数ヶ所設けてある事により、種々の自動車共通タイプとして用いる事が出来、車の買い替えにも対応可能である。【００３１】実施の形態２．
図９は、この発明の実施の形態２を示す車体カバーの平面図である。図１０は、本発明の車体カバーを折り畳んだ状態を示す斜視図である。図１１は、車体カバーをボンネットの上に置いた状態を示す斜視図である。図１２は、図１１の車体カバーを拡げて行く状態を示す斜視図である。図１３は、図１２の車体カバーを拡げて行く状態を示す斜視図である。図１４は、図１３の車体カバーを拡げて行く状態を示す斜視図である。図１５は、車体カバーを車上面全体に装着した状態を示す斜視図である。【００３２】  図９において、２００は例えば自動車等の車体の上面を覆う車体カバーである。２５０は車体である。２５１はサイドミラーである。２５２はバンパーである。２５３はヘッドライトである。２５４はウインドウである。２５５はテールライトである。３００はボンネットである。４００はルーフである。５００はトランクである。２１は実施の形態１と同様の長方形状若しくは車体形状に合わせたシート部材であるが、中央部に凹みを設けたり、外周部を波状にしてもよい。【００３３】  ２２ａはシート部材２１を車体に固定する基点仮止め手段としての永久磁石であり、例えば弾力性を有するゴム係磁石等で形成され、ルーフの位置に対応する個所へそれぞれ複数固着されている。２２ｂはシート部材２１を車体に固定する第１の固定仮止め手段としての永久磁石であり、上記２３ａ同様、弾力性を有するゴム係磁石等で形成され、ボンネットの位置に対応する個所へそれぞれ複数固着されている。２２ｃはシート部材２１を車体に固定する第２の固定仮止め手段としての永久磁石であり、上記２３ａ同様、弾力性を有するゴム係磁石等で形成され、トランクの位置に対応する個所へそれぞれ複数固着されている。すなわち、第１の固定仮止め手段２２ｂと第２の固定仮止め手段２２ｃは、基点仮止め手段２２ａのシート部材２１の長手方向両側に複数個設けられている。【００３４】  ２３ａは第３の仮止め面ファスナであり，シート部材２１の長手方向の左側面近傍に複数固着されている。２３ｂは第４の仮止め面ファスナでありシート部材２１の長手方向の右側面近傍に複数固着されている。
２４ａは仮止め面ファスナＡであり，第３の仮止め面ファスナ２３ａより長手方向中心寄りの裏面に複数設けられている。２４ｂは仮止め面ファスナＢであり、第４の仮止め面ファスナ２３ｂより長手方向中心寄りの裏面に複数設けられている。２５ａは仮止め面ファスナＣであり、第３の仮止め面ファスナ２３ａと仮止め面ファスナＡ２４ａの間に複数設けられている。２５ｂは仮止め面ファスナＤであり、第４の仮止め面ファスナ２３ｂと仮止め面ファスナＢ２４ｂの間に複数設けられている。【００３５】  ２６は紐通し穴を有する吸盤であり，紐通し穴に後述するシート緊縛紐３０を通し、シート緊縛紐３０に移動可能な状態で複数取付けられている。２７は伸縮自在緊縛紐であり、車体カバー２００を折り畳み緊縛する為、シート部材２１の短手方向の左側面に固着されている。２８はサイドミラー係止紐であり、例えば伸縮自在な紐で形成され、シート部材２１の短手方向両側面に複数固着されている。２９はシート緊縛紐通し穴であり、シート部材２１の四方側面近傍に複数設けられている。３０はシート緊縛紐であり、シート部材２１の四方側面近傍に設けられた複数のシート緊縛紐通し穴２９に通されている。【００３６】  次に、上述の様に構成された車体カバー２００を自動車に着脱する方法を説明する。
先ず、図１０の様に折り畳み込まれた車体カバー２００から伸縮自在緊縛紐２７を取り外し、矢印Ｈ方向に開く。
次に、図１１に示す様に、車体カバー２００を自動車のボンネット３００の上に置き、第３の仮止め面ファスナ２３ａと仮止め面ファスナＡの２４ａとを外し矢印Ｉ方向に拡げる。【００３７】  次に、図１２に示す様に、吸盤２６Ａをバンパー２５２、ヘッドライト２５３若しくは車体２５０に吸着させる。更に、矢印Ｊ方向に拡げる。この時、車体カバーに固着されている永久磁石２２ａがボンネット３００に吸着し、車体カバー２００が車体２５０に固定される。
次に、図１３に示す様に、車体カバー２００を矢印Ｋ方向に拡げて行き、永久磁石２２がルーフ４００に吸着し、車体カバー２００と車体２５０が固定される。
次に、図１４に示す様に、第４の仮止め面ファスナ２３ｂと仮止め面ファスナＣの２５ａとを外し、車体カバーを矢印Ｌ方向に拡げて行く。【００３８】  次に、図１５に示す様に、車体カバー２００を車体上面全体に覆う。この時、車体カバーに固着されている永久磁石２２ｂがトランク５００に吸着し、車体カバー２００が車体２５０に固定される。更にサイドミラー係止紐２８をサイドミラー２５１に係止し、また複数の吸盤２６を車体２５０、バンパー２５２、ヘッドライト２５３、ウインドウ２５４、テールライト２５５に吸着し車体カバー２００の取付けを完了する。【００３９】  次に、車体カバー２００を車体２５０から取り外し、収納する方法を説明する。
先ず、図１５に示す様に、サイドミラー係止紐２８をサイドミラー２５１から外し、更に吸盤２６を車体２５０やバンパー２５２、ヘッドライト２５３、ウインドウ２５４、テールランプ２５５から外す。
次に、図１４に示す様に，車体カバー２００を矢印Ｍ方向に折り返して行く。
次に、図１３に示す様に，車体カバー２００を矢印Ｎ方向に折り畳み、第４の仮止め面ファスナ２３ｂと仮止め面ファスナＣの２５ａとを係合させる。【００４０】  次に、図１２に示す様に、車体カバー２００を矢印Ｏ方向に折り畳む。
次に、図１１に示す様に、車体カバー２００を矢印Ｐ方向に折り畳み、第２の仮止め面ファスナ２３ａと、仮止め面ファスナＡの２４ａとを係合させる。
次に、図１０に示す様に、車体カバー２００をボンネット３００から取り外し、矢印Ｑ方向に折り畳み、伸縮自在緊縛紐２７で車体カバーを縛り収納状態とする。【００４１】  この発明の車体カバー２００は、上述の様に構成されているので、車体カバー２００の着脱の際、永久磁石２２やシート部材２１の折り畳み方法により、車体２５０の上面を引きずることが無い為、大切な車体２５０に傷を付ける事なく、またシート部材２１が風に煽られ車体２５０から滑り落ちない為、着脱が容易で片手でも簡単に出来る画期的な車体カバー２００である。また、コンパクトに収納することが出来る為、収納場所を取らないのである。【００４２】  また、車体カバー２００を車体から取り外し収納する際、外気の汚れや雨でシート部材２１の上面が汚れていても、シート部材２１の汚れている上面同士を折り合わせ畳み収納する為、綺麗な車体面側のシート部材２１を汚すことが無くなり、再度の取付けにも車体２５０を汚したり、傷を付けたりする事が無いのである。また、手や衣服を汚すことが無くなる。【００４３】  また、車体カバー取付けの際、シート緊縛紐３０に取付けられた吸盤２６を任意の位置へ移動させる事が出来る為、適当な個所へ確実に吸盤２６を車体２５０等へ係止することができる。この為、車体カバーの取付け位置により、吸盤の吸着個所に妨げがある際、吸盤を移動し車体カバーを固定させる事ができるので便利である。また、種々の自動車共通タイプとして用いる事が出来るのである。【００４４】  また、車体カバーの畳み込み仮止め手段とそれぞれの面ファスナの構成をシート部材２１の長手方向中心に対称にしている為、車体カバーの着脱方法を前後どちらからでもすることが可能であり、便利である。
【図面の簡単な説明】
【００４５】
【図１】  この発明の実施の形態１を示す車体カバーの平面図である。
【図２】  この発明の実施の形態１に示す車体カバーの収納状態の斜視図である。
【図３】  この発明の実施の形態１に示す車体カバーをルーフに置いた斜視図である。
【図４】  この発明の実施の形態１に示す車体カバーを拡げた斜視図である。
【図５】  この発明の実施の形態１に示す車体カバーを拡げていく斜視図である。
【図６】  この発明の実施の形態１に示す車体カバーを拡げていく斜視図である。
【図７】  この発明の実施の形態１に示す車体カバーを拡げていく斜視図である。
【図８】  この発明の実施の形態１に示す車体カバーを車上面全体に装着した状態を示す斜視図である。
【００４６】
【図９】  この発明の実施の形態２を示す車体カバーの平面図である。
【図１０】  この発明の実施の形態２に示す車体カバーの収納状態の斜視図である。
【図１１】  この発明の実施の形態２に示す車体カバーをボンネットに置いた斜視図である
【図１２】  この発明の実施の形態２に示す車体カバーを拡げていく斜視図である。
【図１３】  この発明の実施の形態２に示す車体カバーを拡げていく斜視図である。
【図１４】  この発明の実施の形態２に示す車体カバーを拡げて行く斜視図である。
【図１５】  この発明の実施の形態２に示す車体カバーを車上面全体に装着した状態を示す斜視図である。
【符号の説明】
【００４７】  １  シート部材、２  永久磁石（基点仮止め手段）、３  基点面ファスナ、４  第１の仮止め面ファスナ、５  第２の仮止め面ファスナ、５０  車体、１００  車体カバー、２１  シート部材、２２ａ  永久磁石（基点仮止め手段）、２２ｂ  永久磁石（第１の固定仮止め手段）、２２ｃ  永久磁石（第２の固定仮止め手段）、２３ａ  第３の仮止め面ファスナ、２３ｂ  第４の仮止め面ファスナ、２４ａ  仮止め面ファスナＡ、２４ｂ  仮止め面ファスナＢ、２５ａ  仮止め面ファスナＣ、２５ｂ  仮止め面ファスナＤ、３０  シート緊縛紐、２６  吸盤、２００  車体カバー、２５０  車体
【図１】
2004359211.tif 000003
【図２】
2004359211.tif 000004
【図３】
2004359211.tif 000005
【図４】
2004359211.tif 000006
【図５】
2004359211.tif 000007
【図６】
2004359211.tif 000008
【図７】
2004359211.tif 000009
【図８】
2004359211.tif 000010
【図９】
2004359211.tif 000011
【図１０】
2004359211.tif 000012
【図１１】
2004359211.tif 000013
【図１２】
2004359211.tif 000014
【図１３】
2004359211.tif 000015
【図１４】
2004359211.tif 000016
【図１５】
2004359211.tif 000017